(57)【要約】【課題】  モーション表示の開始タイミング制御が容易な映像送出システムと映像送出制御方法を提供する。【解決手段】  ビデオサーバ３Ａは、効果映像作成装置７によって作成されたモーション表示のフレーム毎の画像のファイルｆ０〜ｆｎをファイル群Ｆ１にして記憶し、ＡＰＣ１は、局内時計８を参照しつつ番組進行を制御するテーブルＴに設定されたタイミングに従って、静止画ファイルｆ０からモーションの動画ファイルｆ１〜ｆｎを順番にビデオサーバ３Ａから読み出してスイッチャ４を介して送信器へ向けて出力するモーション表示の映像送出制御を行う。【選択図】  図１
2008028502.tif 000002
【特許請求の範囲】
【請求項１】
制御信号を伝送するネットワークに接続された放送局機材を局内時計に同期して放送番組の送出管理を行うＡＰＣにより制御され、番組のコンテンツを蓄積出力するビデオサーバを備える映像送出システムにおいて、
それぞれが識別情報を有する１フレーム単位の画像ファイル複数を編集してファイル群を作成し、モーション表示のコンテンツとする効果映像作成装置と、
前記ネットワークに接続され、前記効果映像作成装置との間で前記ファイル群を前記効果映像作成装置との間の通信手段又は、記憶媒体を介する入力手段により入力して記憶手段に蓄積するビデオサーバと、
前記モーション表示のコンテンツをフレーム単位で出力する前記画像ファイルの識別情報とタイミングとをテーブルにして管理し、前記ビデオサーバから静止画の画像情報を出力するために前記テーブルに設定された前記前記モーション表示のコンテンツの第１のフレームの画像ファイルを継続して出力する開始タイミングと終了タイミング、および前記ビデオサーバがモーション表示の動画を出力するために前記第１のフレームに続く第２のフレーム以降の画像ファイルを順次出力するタイミングを与える制御信号とを前記ネットワークを介して前記ビデオサーバへ出力するＡＰＣとを
具備することを特徴とする映像送出システム。
【請求項２】
前記ＡＰＣが出力する前記制御信号の前記各タイミングを与える情報は、時刻情報であって、
前記ビデオサーバは、内部時計を備え、入力される前記制御信号の時刻情報と内部時計とを参照して前記各画像ファイルを出力することを特徴とする請求項１記載の映像送出システム。
【請求項３】
前記ＡＰＣは、
前記テーブルに設定された時刻になると、都度画像ファイルを出力するコマンドの前記制御信号を出力し、
前記ビデオサーバは、
前記制御信号が入力されたタイミングに前記コマンドへの応答として前記識別情報で指定される前記画像ファイルを出力することを特徴とする請求項１記載の映像送出システム。
【請求項４】
前記ＡＰＣは、
前記静止画の表示を開始する制御を行う場合、
前記識別情報に代わり、静止画表示を指定するコマンドを含む前記制御信号を出力し、
前記静止画表示を指定するコマンドを受信した前記ビデオサーバは、
前記ファイル群の先頭にあるファイルを前記第１の画像ファイルとして出力し、
前記ＡＰＣは、前記動画の表示を開始する制御を行う場合、
前記識別情報に代わり、動画の表示を指定するコマンドを含む前記制御信号を出力し、
前記動画表示を指定するコマンドを受信した前記ビデオサーバは、
前記ファイル群の先頭に続くファイルを出力することを特徴とする請求項１記載の映像送出システム。
【請求項５】
前記効果映像作成装置は、前記ビデオサーバの構成に含まれることを特徴とする請求項１記載の映像送出システム。
【請求項６】
制御信号を伝送するネットワークに接続された放送局機材を局内時計に同期して放送番組の送出管理を行うＡＰＣにより制御され、効果映像作成装置が作成した番組のコンテンツを蓄積出力するビデオサーバを備える映像送出システムの映像送出制御方法において、
前記効果映像作成装置は、それぞれが識別情報を有する１フレーム単位の画像ファイル複数を編集してモーション表示の前記コンテンツとなるファイル群を作成し、
ビデオサーバは、前記ネットワークに接続され、前記効果映像作成装置との間で前記ファイル群を前記効果映像作成装置との間の通信手段又は、記憶媒体を介する入力手段により入力して記憶手段に蓄積し、
前記ＡＰＣは、前記モーション表示のコンテンツをフレーム単位で出力する前記画像ファイルの識別情報とタイミングとをテーブルにして管理し、
前記ビデオサーバから静止画の画像情報を出力するために前記テーブルに設定された前記前記モーション表示のコンテンツの第１のフレームの画像ファイルを継続して出力する開始タイミングと終了タイミング、および前記ビデオサーバがモーション表示の動画を出力するために前記第１のフレームに続く第２のフレーム以降の画像ファイルを順次出力するタイミングを与える制御信号とを前記ネットワークを介して前記ビデオサーバへ出力する
ことを特徴とする映像送出システムの映像送出制御方法。
【請求項７】
前記ＡＰＣが出力する前記制御信号の前記各タイミングを与える情報は、時刻情報であって、
前記ビデオサーバは、内部時計を備え、入力される前記制御信号の時刻情報と内部時計とを参照して前記各画像ファイルを出力することを特徴とする請求項１記載の映像送出システム映像の送出制御方法。
【請求項８】
前記ＡＰＣは、
前記テーブルに設定された時刻になると、都度画像ファイルを出力するコマンドの前記制御信号を出力し、
前記ビデオサーバは、
前記制御信号が入力されたタイミングに前記コマンドへの応答として前記識別情報で指定される前記画像ファイルを出力することを特徴とする請求項１記載の映像送出システムの映像送出制御方法。
【請求項９】
前記ＡＰＣは、
前記静止画の表示を開始する制御を行う場合、
前記識別情報に代わり、静止画表示を指定するコマンドを含む前記制御信号を出力し、
前記静止画表示を指定するコマンドを受信した前記ビデオサーバは、
前記ファイル群の先頭にあるファイルを前記第１の画像ファイルとして出力し、
前記ＡＰＣは、前記動画の表示を開始する制御を行う場合、
前記識別情報に代わり、動画の表示を指定するコマンドを含む前記制御信号を出力し、
前記動画表示を指定するコマンドを受信した前記ビデオサーバは、
前記ファイル群の先頭に続くファイルを出力することを特徴とする請求項１記載の映像送出システム映像の送出制御方法。
【請求項１０】
前記効果映像作成装置は、前記ビデオサーバの構成に含まれることを特徴とする請求項１記載の映像送出システムの映像送出制御方法。
【発明の詳細な説明】
【技術分野】
【０００１】
本発明は、テレビ放送の映像送出システム、および映像送出制御方法に関する。
【背景技術】
【０００２】
テレビ放送では、番組提供者や番組タイトルのマークや文字を静止した画面表示から、マークや文字を回転する「ターン表示」を代表としてモーション表示と呼ばれる映像効果がある。ターン表示は、例えば、実況中継やスタジオ収録番組の動画面を背景に静止して番組提供者の企業マークやロゴが表示され、あるタイミングでそのロゴ表示が回転し背面表示され再び正面表示になるものである。
【０００３】
以下、テレビ放送のモーション表示の映像効果について、ターン表示を例に映像送出システムの動作、処理を説明する。モーション表示される時の放送の画面表示は、番組本来の映像の出力信号と、効果映像の出力信号との２つのコンテンツがそれぞれの映像出力源から同時に出力され、これらの出力信号がミキシング編集された放送映像となり映像送出システムから送信器へ向けて出力される。
【０００４】
図９は、従来の放送の本体のコンテンツの映像出力と効果映像の出力とのタイミング図である。  
ターン表示のコンテンツでは、そのマークをターン表示する時間の前後の静止時間を含めた想定放送時間の長さの効果映像（コンテンツ）ファイルを作成して、一旦ビデオサーバに収録し、それを放送時間に合せて読み出し、番組本来のコンテンツと重畳編集することにより放送している。
【０００５】
図９において、Ｒは効果映像が出力される時間、Ｐは本放送（本来出力される番組コンテンツ）が出力される時間、ｔ０は番組の放送開始時刻、ｔ０〜ｔ１およびｔ２〜ｔ３は、静止表示、ｔ１〜ｔ２は、文字が回転を開始する時間である。
【０００６】
しかし、放送時間は、スポーツ中継や、報道中継を代表とするように番組の開始タイミングｔ１が変動し、それに伴いターン表示タイミングが変更されることがある。この場合、上記のような効果映像は、予定された送信開始時間がずれ、ｔ０〜ｔ１、ｔ２〜ｔ３の時間が変わってもターン表示時間長ｔ１〜ｔ２は一定にして放送しなければならない。
【０００７】
従来のターン表示を行う効果映像の表示は、コンテンツが正しいものが準備されているかどうかを確認できるよう、その番組の開始の映像をスチル表示して保持することにより内容を確認している例があるが、この場合でも、マークが静止画表示される上記ｔ０〜ｔ１およびｔ２〜ｔ３を含んだ連続した効果映像ファイルが準備される（例えば、特許文献１。）。
【０００８】
つまり放送時間変更に伴いターン表示開始タイミングも変更される場合に、ターン表示開始タイミング制御をしなければならないが、作成済みの効果映像ファイル中のｔ０〜ｔ１およびｔ２〜ｔ３を変えるのは容易ではない。また、ターン表示開始タイミングを書き換えた効果映像ファイルを準備したとしても、ビデオサーバで速やかに差し替えるのは困難である。かつ静止画を表示する時間を含めたデータファイルがビデオサーバに蓄えられるのでその蓄積容量を無駄に消費する問題があった。
【０００９】
本発明は、上記の問題点を解決するために、モーション表示の開始タイミング制御が容易な映像送出システムと映像送出制御方法を提供することを目的とする。
【特許文献１】特開２００４−２７４５６８号公報  （第６頁、第１図）
【発明の開示】
【発明が解決しようとする課題】
【００１０】
従来、モーション表示を含む番組の放送時間が変更される場合、効果映像ファイル中のターン表示の開始タイミングの書き換えが困難、更に書き換えられた映像効果ファイルを、ビデオサーバで速やかに差し替えるのは困難であり、かつ不要な待機時間を含めた長さのファイルがビデオサーバに蓄えられるのでその蓄積容量を無駄に消費する問題があった。
【００１１】
本発明は、上記の問題点を解決するために、モーション表示の開始タイミング制御が容易なビデオサーバシステムと番組信号制御方法を提供することを目的とする。
【課題を解決するための手段】
【００１２】
上記目的を達成するために、本発明の映像送出システムは、制御信号を伝送するネットワークに接続された放送局機材を局内時計に同期して放送番組の送出管理を行うＡＰＣにより制御され、番組のコンテンツを蓄積出力するビデオサーバを備える映像送出システムにおいて、それぞれが識別情報を有する１フレーム単位の画像ファイル複数を編集してファイル群を作成し、モーション表示のコンテンツとする効果映像作成装置と、前記ネットワークに接続され、前記効果映像作成装置との間で前記ファイル群を前記効果映像作成装置との間の通信手段又は、記憶媒体を介する入力手段により入力して記憶手段に蓄積するビデオサーバと、前記モーション表示のコンテンツをフレーム単位で出力する前記画像ファイルの識別情報とタイミングとをテーブルにして管理し、前記ビデオサーバから静止画の画像情報を出力するために前記テーブルに設定された前記前記モーション表示のコンテンツの第１のフレームの画像ファイルを継続して出力する開始タイミングと終了タイミング、および前記ビデオサーバがモーション表示の動画を出力するために前記第１のフレームに続く第２のフレーム以降の画像ファイルを順次出力するタイミングを与える制御信号とを前記ネットワークを介して前記ビデオサーバへ出力するＡＰＣとを具備することを特徴とする。
【００１３】
また、本発明の映像送出システムの映像送出制御方法は、制御信号を伝送するネットワークに接続された放送局機材を局内時計に同期して放送番組の送出管理を行うＡＰＣにより制御され、効果映像作成装置が作成した番組のコンテンツを蓄積出力するビデオサーバを備える映像送出システムの映像送出制御方法において、前記効果映像作成装置は、それぞれが識別情報を有する１フレーム単位の画像ファイル複数を編集してモーション表示の前記コンテンツとなるファイル群を作成し、ビデオサーバは、前記ネットワークに接続され、前記効果映像作成装置との間で前記ファイル群を前記効果映像作成装置との間の通信手段又は、記憶媒体を介する入力手段により入力して記憶手段に蓄積し、前記ＡＰＣは、前記モーション表示のコンテンツをフレーム単位で出力する前記画像ファイルの識別情報とタイミングとをテーブルにして管理し、前記ビデオサーバから静止画の画像情報を出力するために前記テーブルに設定された前記前記モーション表示のコンテンツの第１のフレームの画像ファイルを継続して出力する開始タイミングと終了タイミング、および前記ビデオサーバがモーション表示の動画を出力するために前記第１のフレームに続く第２のフレーム以降の画像ファイルを順次出力するタイミングを与える制御信号とを前記ネットワークを介して前記ビデオサーバへ出力することを特徴とする。
【発明の効果】
【００１４】
本発明によれば、モーション表示の開始タイミング制御が容易な映像送出システムと映像送出制御方法を提供することが出来る。
【発明を実施するための最良の形態】
【００１５】
以下、図面を参照して本発明の実施例を説明する。
【実施例１】
【００１６】
図１は、本発明の実施例１に係る映像送出システムの機能構成を示すブロック図である。  
図１において映像送出システムは、ＡＰＣ（自動番組創出設備：Automatic  Program  Controller）１、制御卓２、ビデオサーバ３Ａ〜３ｎ（以下、必要のない限りビデオサーバ３と省略する。）スイッチャ４、ミキサ５、および前記各構成の間に設けられるネットワーク６とを備え、更に効果映像作成装置７と局内時計８とを具備している。
【００１７】
また、上記構成に加えてスイッチャ４とミキサ５との間ビデオサーバ３Ａ〜３ｎ、および効果映像作成装置７とビデオサーバ３Ａの間が伝送ラインＬにより映像情報が入出力するよう接続され、スイッチャ４に接続される装置間では映像信号の伝送網が構成されている。
【００１８】
効果映像作成装置７は、ＣＧ作成を行うコンピュータ、または、カメラで撮影した映像を電子ファイル化する情報処理端末である。
【００１９】
局内時計８は、映像送出システムのＡＰＣ１、ビデオサーバ３Ａ〜３ｎ、スイッチャ４、ミキサ５始め、放送局内の各装置が同期して動作するための時刻情報を出力するものである。時刻情報は、局内時計８から図示されないクロックラインにより上記の各構成に供給されて各装置内の内部時計としてされるか、または、適宜各装置の内部時計が、局内時計８の時刻情報のタイミングと同期するよう定期的に所定の同期処理が行われる。
【００２０】
ＡＰＣ１は、図示されない上位のデータサーバから供給される番組時刻表に従って、各構成の動作を制御し、所定のコンテンツをミキサ５から送信機へ向けて出力する制御を行う。この制御は、ＡＰＣ１の制御部１１が局内時計８を参照してＡＰＣ１のメモリＭに作成されたタイムテーブル（以下、テーブルと称する。）Ｔを読み出して生成した各構成を制御する制御信号をネットワーク６を介して各構成へ伝送することにより行われる。
【００２１】
ＡＰＣ１は、映像送出システムの各装置が動作をするタイミング（時刻）にファイル出力やスイッチャ４を介しての機器間接続等の所定の動作を命令する制御信号を送信するか、又は、予め各構成（装置）が行う上記同様の動作とその動作時刻を、ネットワーク６を介して送信する制御信号に書き込んで各構成に送信する。各構成は、このいずれかの方法により制御され、所要のタイミングでコンテンツを送信器に向けて出力する動作を行う。
【００２２】
制御卓２は、ＡＰＣ１に動作コマンドや、番組データ等を入力する入力手段でテーブルＴにもこの入力データが書き込まれる。
【００２３】
ビデオサーバ３Ａ、３ＢはＡＰＣ１の制御に従って各種の放送番組のコンテンツをデジタルの映像情報として蓄積し、図１の各構成との間の映像情報の通信手段である伝送ラインＬを介して出力する。ここでは、ビデオサーバ３Ａには、企業マークのターン表示のようなモーション表示の効果映像が蓄積され、ビデオサーバ３Ｂにはドラマ等の番組コンテンツや広告映像が蓄積され、ＡＰＣ１からの制御信号により、両ビデオサーバ３Ａ、３Ｂからスイッチャ４を介してミキサ５へコンテンツの映像情報が出力されるものとする。
【００２４】
続いて、以下に効果映像の表示形態について説明する。
【００２５】
図２は、ターン表示による効果映像の一例を示す図である。  
図２（ａ）は、ターン表示で「ＴＵＲＮ」のマークが静止画で表示される状態を示し、図２（ｂ）は、回転中のマークを示す。
【００２６】
マークは、通常ＣＧ（コンピュータ  グラフィック）処理するか、または、手書きの図画等を１こま（１フレーム毎）ずつ撮影する効果映像作成装置７等により画像が作成され、その画像は、更にアニメーションに必要な例えば、ＴＩＦＦ（Tagged Image File Format）の効果映像のファイルにされる。
【００２７】
例えば、効果映像作成装置７は、１フレーム毎のＴＩＦＦのファイルｆ０〜ｆｎを作成し、最初と最後の静止画表示用のｆ０とそれに続くモーション画面、動画ｆ１〜ｆｎが連続する効果映像に編集したターン表示のファイル群Ｆ１を作成する。そして、作成されたファイル群Ｆ１は、効果映像作成装置７から記憶媒体によりビデオサーバ３Ａに受け渡されてコピーされるか、または、ＡＰＣ１からオペレータが入力するファイル管理コマンドにより伝送ラインＬへ出力され、その接続先のビデオサーバ３Ａの記憶手段に予め蓄積される。
【００２８】
図３は、ビデオサーバの機能ブロック図である。  
図３においてビデオサーバ３は、ネットワーク６に接続され、制御信号が入出力する制御Ｉ／Ｆ３１、デジタル映像データが入出力するインタフェースのビデオＩ／Ｆ３２、データやファイル群Ｆ１を記憶蓄積する記憶手段の記憶部３３、そして記録媒体とのデータや、自装置の動作設定や映像モニタを行う入出力部３４、制御部３５、これらの各構成の間を接続し情報を伝送する内部バス３６、内部時計３７とを備えている。制御部３５は、各構成との間で情報、データ等を入出力し映像入出力に係わる処理、および制御監視を行う。
【００２９】
次に図３を参照して、ビデオサーバ３による映像情報の処理概要を説明する。
【００３０】
効果映像作成装置７で作成された映像情報は、ファイル群Ｆ１が記憶された半導体メモリ、光磁気ディスク等の記録媒体が入出力部３４に挿入され、ファイル群Ｆ１が読み出され制御部３５の制御により内部バス３６を介して一旦、記憶部３３へ転送され書き込まれる。又は、他の方法としてファイル群Ｆ１が効果映像作成装置７との間を接続する伝送ラインＬによってビデオＩ／Ｆ３２を介して入力され、制御部３５により内部バス３６を介して記憶部３３へ書き込まれる。
【００３１】
サーバ３Ａは、書き込まれたこのファイル群Ｆ１の各ファイルｆ０〜ｆｎを読み出して制御部３５によって所定の放送用素材のデータファイル、例えばモーションＪＰＥＧ表示するためにＪＰＥＧフォーマットのデータファイルに変換した後、記憶部３３に書き込み蓄積記憶する。
【００３２】
一方、サーバ３ＡにはＡＰＣ１から番組放送時刻に先駆けて映像情報（コンテンツ）の出力管理を行うテーブルＴを参照して送信した制御信号がネットワーク６と制御Ｉ／Ｆ３１を介して入力される。制御部３５は、入力された制御信号からモーション表示をするためのタイミング制御情報を判読し、そのタイミングに記憶部３３から順次所定のファイルｆ０〜ｆｎを読み出して、ビデオＩ／Ｆ３２を介して伝送ラインＬへ出力する。
【００３３】
前述の如く、制御信号がターン開始などのタイミングの時刻情報を含むもので有れば、制御部３５は、内部時計３７を参照して記憶部３３からファイルｆ０〜ｆｎを読み出してファイル出力を行う。また制御信号のタイミング情報が時刻情報を含まずにファイル出力を都度命ずるコマンドで有れば、制御部３５は、入力される制御信号のコマンドに応答して制御信号を受信したタイミングにファイルｆ０〜ｆｎを記憶部３３から読み出して出力する処理を行う。
【００３４】
さて、ファイルｆ０の“ｆ０”は、ターン表示の固定画面（静止画）に割り振られる識別番号である。また、ｆ１〜ｆｎはモーション表示の各フレームを構成するファイルに割り当てられる順番の識別番号であり、最終の１フレームがｆｎである。ｆ１〜ｆｎはフレーム数からモーション表示時間が算定できる。１秒では、３０フレーム表示出来るので、例えば、９０枚（フレーム）のアニメ画を用いれば、３秒のターン表示となる。
【００３５】
図４は、アニメーションによりターン表示を行う場合のビデオサーバの動作タイミング図である。  
図４において、Ｒは効果映像が出力される時間、Ｐは、本放送（本来出力される番組コンテンツ）が出力される時間、ｔ０が番組の放送開始時刻、ｔ０〜ｔ１およびｔ２〜ｔ３は、静止表示、ｔ１〜ｔ２は、文字が回転を開始するタイミングである。なお、図４中の時刻表示は、後の図５以降で示される映像送出システムのターン表示のタイミングを表している。
【００３６】
図４のタイミングｔ０では、ＡＰＣ１からの制御により、ファイル群Ｆ１が記憶部３３から読み出され、図２（ａ）の静止画であるＪＰＥＧファイルｆ０が出力される。またタイミングｔ１では、続いてモーション最初のＪＰＥＧファイルｆ１が読み出されて出力される。同様にタイミングｔ２まで順次ＪＰＥＧファイルｆ２〜ｆｎまでが出力されマークが回転する映像が表示される。そして、タイミングｔ２を過ぎるとタイミングｔ３まで再びＪＰＥＧファイルｆ１が読み出されて出力されて静止画となる。
【００３７】
図５は、本発明の実施例に係わる映像送出システムのＡＰＣ１の番組コンテンツの送出を管理するタイムテーブルの例である。  
テーブルＴは、ＡＰＣ１の記憶部に書き込まれ、番組名称とその放送コンテンツの指定およびコンテンツを出力する装置名称が挙げられ、各装置からコンテンツを出力するタイミングを示す時刻表である。テーブルＴは、予めＡＰＣ１に設定されるが、その後オペレータが制御宅２から入力するデータ、コマンドにより修正変更される。
【００３８】
以下、図５を参照して映像送出システムの動作を説明する。図５では、２０：５０分に予定されていたニュース番組に代わって放送中のスポーツ中継が延長して放送されることになり、スポンサーのマークがターン表示される例である。そして、ビデオサーバ３Ａから送出されるターン表示の効果映像と、中継車から供給されるスポーツ中継の映像信号をミキサ５が重畳編集して送信器に向け出力される。
【００３９】
図５において、２０：３０：００からは「中継車」からのカメラ映像等の映像信号「ＥＤＩＴ  Ｖ」のみが送信器へ向けて出力されている。即ち、スイッチャ４からミキサ５へ入力されるのは、１つの映像信号のみである。
【００４０】
そして２０：４０：００になると、定時の広告を放送するために一旦中継車の映像がカットされることが「−」で示され、一方、図１のビデオデオサーバ３Ｂに相当する「ＶＳ−Ｂ」から広告コンテンツ「ＢＣＭ００１」に切り替えられ、２０：４０：３０までの３０秒に亘り出力される。ミキサ５は、この時点までスイッチャ４により選択されたいずれか１つの映像信号を送信器に向けて出力している。
【００４１】
そして２０：４０：３０まで再び「中継車」からのコンテンツである映像信号「ＥＤＩＴ  Ｖ」が出力される。その後、本来で有れば、２０：５０：００になると、ニュース番組に切り替えられるが、ここではスポーツ中継が継続して放送されるので、それに伴って修正変更されたコンテンツ送出のタイミングがテーブルＴに設定されている。
【００４２】
図５では、書き換えられた部分が太字表示され、２０：５０：００になるとそのまま「中継車」からの映像信号を入力することと、図１のビデオサーバ３Ａに相当する「ＶＳ―Ａ」から、ターン表示の効果映像コンテンツ、言い替えれば静止画表示ファイル「ＡＣＭＦ１−ｆ０」が出力されることが示されている。
【００４３】
ここで、「ＡＣＭＦ１−ｆ０」の“ＡＣＭＦ１”は、ファイル群、コンテンツ名称、“―ｆ０”のファイルｆ０を出力することをビデオサーバ３Ａに示すコマンドである。また、“−ｆ１／ｆｎ”は、ファイルｆ１〜ｆｎまでを出力することを示すコマンド、“−”は出力を停止しスイッチャ４から切り離すコマンドである。
【００４４】
２０：５０：００になるとスイッチャ４は、２つの映像信号をミキサ５に出力し、画面では、スポーツの中継カメラ映像を背景にしてマークがターン表示されるようにミキサ５は２つの映像信号を混合して送信器に向けて出力する。
【００４５】
ここではターン前の静止画表示が２０：５０：１０までの１０秒間行われ、「コマンドＦ１−ｆ１／ｆｎ」によって続く５秒間２０：５０：１５までマークが回転する動画のファイル「Ｆ１−ｆ１〜ｆｎ」が続いて順番に出力される。そして、動画表示が終わると、再び静止画用の「Ｆ１−ｆ０」が５秒間出力される。前述の通り１秒では、３０フレーム表示するので、５秒のターン表示に１５０枚（フレーム）のアニメーション画像を用いることになり「ｆｎ」は１５０のサフィックスが付与されている。
【００４６】
このフレーム数と表示時間の関係は一義的に定まるので、フレーム数を制御卓２から入力設定すれば、ＡＰＣ１の制御部が演算することによりターン表示を終える時刻が自動的にテーブルＴへ設定される。また、反対にターン表示を終える時刻が入力された場合には、フレーム枚数が演算され設定されるようにしても良い。
【００４７】
また、アニメーション画像が例えば、７５枚（２．５秒のターン表示画）の様な単位で構成される場合、ｆ３００の様にフレーム数に７５枚以上（または、２．５秒以上）の数が設定された場合は、フレームの最初のｆ０から繰り返す様にＡＰＣ１のターン表示の制御、言い替えればテーブルＴを設定するようにしても良いし、７６枚目以降は７５枚目で停止し静止画の表示を続けるようにしても良い。これらの選択は、ＡＰＣ１の制御部１１に対するプログラムによって制御卓２からパラメータ設定出来るようにしておけばよい。
【００４８】
最後に２０：５０：２５になると、ビデオサーバ３Ａの「ＶＳ―Ａ」は切り離され、また、スポーツ中継の映像「ＥＤＩＴ  Ｖ」のみが放送される。
【００４９】
なお、ＡＰＣ１のプログラムに、ビデオサーバ３Ａの仕様に対応していくつか応用モードを設定できる様にしても良い。例えば、所定フレーム数のフレーム出力指定をする場合、その制御信号をＡＰＣ１から受信するビデオサーバ３Ａが、予め所定の動作モード設定により、繰り返し表示か静止画表示を設定できる場合には、それに合わせて制御卓２から繰り返し表示か静止画表示を指定するコマンドを入力すれば良い。
【００５０】
本発明の映像送出システムは、上記構成に限ることなく構成の組み合わせ等に変形があるもので有っても良く、例えば、ビデオサーバに効果映像作成装置が組み込まれるか、一体化したもので有っても良い。
【００５１】
従来は、番組変更が有った場合、ビデオサーバから出力するターン表示映像はターン開始するまでの時間変更が出来ず、例えば、ＶＴＲからの出力信号を、一度出力してオペレータがモニタして回転開始する直前のタイミングでスチル表示に保ち、回転開始の時刻（タイミング）でオペレータがスチル解除をするなどの操作を必要とするなど、映像信号を自動送出できなかった。
【００５２】
しかし、本発明による映像送出システムでは、上記説明の如く効果映像をフレーム単位でファイルして送出制御していることにより、ターン表示を行う場合に、頭出しのタイミングは、ターン開始フレームのファイルを出力するターン開始タイミングを指定するだけで後は自動的に送出される。
【００５３】
従って制御卓２から随時入力されるタイミング設定に従ってターン表示の効果映像を自動送出することができるとともに、ビデオサーバ３Ａが記憶しなければならない映像データは、２５秒間のターン表示の内５秒間で済ませることができるのでビデオサーバの蓄積容量節約に役立つ。
【実施例２】
【００５４】
実施例２は、映像送出システムの構成は実施例１と同様である。
【００５５】
実施例１においては、アニメーション画面の効果映像をフレーム単位で送出制御している。しかし、ビデオサーバ３は、効果映像のファイル群Ｆ１を上位から管理し、画像ファイルの出力開始と終了、およびターン開始及び停止のタイミングを指示することも可能である。
【００５６】
図６は、本発明の実施例２に係わる映像送出システムのＡＰＣ１の番組コンテンツの送出を管理するタイムテーブルの例である。  
図６（ａ）は、静止画出力開始、ターン開始し動画出力、ターン停止し静止画出力を時刻「２０：５０：００」、「２０：５０：１０」、「２０：５０：１５」に行うことを、それぞれ、コマンド“−ｓ”、“−ｍ”、“−ｓ”で指定し、「２０：５０：２５」になるとコマンド“−”により、出力停止とビデオサーバ３Ａが切り離されることが指定されている。
【００５７】
図６（ｂ）は、実施例２における別のコマンドによるターン制御の設定例であって、静止画出力開始、ターン開始し動画出力、を時刻「２０：５０：００」、「２０：５０：１０」に行うことを、それぞれ、コマンド“−ｓ”、“−ｍ＆ｓ”、で指定している。ここでコマンド“−ｍ＆ｓ”は、順番に動画のファイルを出力してターンを１回行い、つまりファイルｆｎまで出力されると、その後静止画出力（ファイルｆ０）を行うコマンドである。
【００５８】
そして、ターンは５秒間かかるので、その後「２０：５０：１５」になると静止画表示になることが制御部３５によりターン表示処理の時間の算出により時刻表示のみされているが、この表示は省略されても良い。「２０：５０：２５」になるとコマンド“−”により、出力停止とビデオサーバ３Ａが切り離されることは、図６（ａ）と同様である。
【００５９】
実施例１、実施例２では、ターン表示を例にモーション表示の動作処理を説明したが、モーション表示は、ターン表示に限られること無く、形状、色が白色から順次赤色へ変化する等他の表示形態変化、それらの組み合わせであっても本発明が適用されることは同様である。
【００６０】
図７、図８は、ターン表示以外のモーション表示の形態の例である。  
図７（ａ）〜（ｃ）は文字や、マークの形状が波状に変化して元に戻るものである。また、図８は、最初の静止画（球形）からモーション表示後に別の静止画（立体）になって終了するものである。また、運動や形体のモーション表示以外に色が変化するもので有っても良い。
【００６１】
また、この他、ＭＰＥＧで作成された実写の映像コンテンツを用いるものであっても良い。例えば、ゴルフのスイングの様にティーアップ後のスイング開始姿勢の静止画からフォロースルー姿勢までの静止画の間の実写映像をモーション表示するものを上記の方法で表示するものである。
【００６２】
以上説明した如く、本発明の映像送出システムおよび映像送出制御方法は、モーション開始、終了のタイミング設定のみでモーション表示の効果映像を自動送出することができるとともに、ビデオサーバが記憶する効果映像データを少量で済ませることができる。
【図面の簡単な説明】
【００６３】
【図１】本発明の実施例１に係る映像送出システムの機能構成を示すブロック図。
【図２】ターン表示による効果映像の一例を示す図。
【図３】ビデオサーバの機能構成を示すブロック図。
【図４】ビデオサーバがターン表示を行う場合の動作タイミング図。
【図５】本発明の実施例１に関わる映像送出システムのＡＰＣの番組コンテンツの送出を管理するタイムテーブルの例。
【図６】本発明の実施例２に関わる映像送出システムのＡＰＣの番組コンテンツの送出を管理するタイムテーブルの例。
【図７】マークが波状に変化するモーション表示の例。
【図８】立体が球形から立方体へ変化するモーション表示の例。
【図９】従来の放送の本体のコンテンツの映像出力と効果映像の出力とのタイミング図
【符号の説明】
【００６４】
１  ＡＰＣ（自動番組送出設備：Automatic  Program  Controller）
２  制御卓
３  ビデオサーバ  （Ａ、Ｂ・・・）
３１  制御Ｉ／Ｆ
３２  ビデオＩ／Ｆ
３３  記憶部
３４  入出力部３４
３５  制御部
３６  内部バス３６
３７  内部時計
４  スイッチャ
５  ミキサ
６  ネットワーク
７  効果映像作成装置
８  局内時計
Ｌ  伝送ライン
Ｔ  テーブル
【図１】
2008028502.tif 000003
【図２】
2008028502.tif 000004
【図３】
2008028502.tif 000005
【図４】
2008028502.tif 000006
【図５】
2008028502.tif 000007
【図６】
2008028502.tif 000008
【図７】
2008028502.tif 000009
【図８】
2008028502.tif 000010
【図９】
2008028502.tif 000011